(57)【要約】ＬＥＤに並列の抵抗器のないセンサが、この並列抵抗器を期待するオキシメータを動作させることを可能にさせるオキシメータセンサアダプタ。このアダプタは、センサのために、オキシメータからの駆動信号を適切なＬＥＤ駆動信号に変換するために、ＬＥＤ駆動エレクトロニクスおよび適切なオキシメータ駆動電流検知回路を含む。１個以上のＬＥＤに並列の、センサ上にある抵抗器の代わりに、この抵抗器は、アダプタのオキシメータ側の、ＬＥＤ駆動エレクトロニクスおよびオキシメータ駆動電流検知回路の前のリード間に置かれる。低電圧の大きな電流を引き込まないＬＥＤ駆動エレクトロニクスおよびオキシメータ駆動電流検知回路を供給することによって、オキシメータは、抵抗がＬＥＤに並列に丁度あるが如く、独立に抵抗器を計測し得る。【選択図】図１
2004508872.tif 000002
【特許請求の範囲】
【請求項１】
オキシメータＬＥＤ駆動出力ラインに接続可能な少なくとも第１および第２の入力ラインと、
オキシメータプローブのＬＥＤ駆動入力ラインに接続可能な一対の出力ラインと、
該入力ラインに結合され、該入力ラインの信号に対応して駆動信号を該一対の出力ラインに供給するためのＬＥＤ駆動回路と、
該一対の入力ラインにまたがって接続された符号化要素と
を含む、オキシメータアダプタ。
【請求項２】
前記符号化要素が抵抗器である、請求項１に記載のオキシメータアダプタ。
【請求項３】
前記抵抗器が付属のプローブのＬＥＤの値に関連する値を有する、請求項２に記載のオキシメータアダプタ。
【請求項４】
前記符号化要素が半導体チップである、請求項１に記載のオキシメータアダプタ。
【請求項５】
前記ＬＥＤ駆動回路は、所定の低電圧で、ある量の電流を引き出し、該所定の低電圧は前記抵抗器の値の計測を可能にするために充分小さい、請求項２に記載のオキシメータアダプタ。
【請求項６】
第３の入力ラインをさらに含む、請求項１に記載のオキシメータアダプタ。
【請求項７】
前記入力ラインと前記ＬＥＤ駆動回路との間に結合されたＬＥＤ駆動検知回路をさらに含む、請求項１に記載のオキシメータアダプタ。
【請求項８】
前記ＬＥＤ駆動検知回路が一対の光学的絶縁体要素を含む、請求項７に記載のオキシメータアダプタ。
【請求項９】
前記プローブからの光検出器出力とオキシメータへの光検出器入力との間に結合された変換回路をさらに含み、該変換回路は、該プローブのＬＥＤの波長と該オキシメータで期待される波長との差を明かにするために検出信号を変更する、請求項１に記載のオキシメータアダプタ。
【請求項１０】
（ａ）オキシメータであって、一対のＬＥＤ駆動出力ラインを有するＬＥＤ駆動回路と、光検出器の入力ラインに接続される光検出器センサ回路とを含むオキシメータと、
（ｂ）オキシメータアダプタであって、オキシメータＬＥＤ駆動出力ラインに接続可能な一対の入力ラインと、オキシメータセンサのＬＥＤ駆動入力ラインに接続可能な一対の出力ラインと、該入力ラインに結合され、該入力ラインの信号に対応して駆動信号を該一対の出力ラインに供給するためのＬＥＤ駆動回路と、該一対の入力ラインにまたがって接続される符号化要素とを含むオキシメータアダプタと
を含む、オキシメータシステム。
【請求項１１】
前記オキシメータアダプタが第３の入力ラインをさらに含む、請求項１０に記載のオキシメータシステム。
【請求項１２】
前記オキシメータアダプタが、前記入力ラインと前記ＬＥＤ駆動回路との間に結合されたＬＥＤ駆動検知回路をさらに含む、請求項１０に記載のオキシメータシステム。
【請求項１３】
前記ＬＥＤ駆動検知回路が一対の光学的絶縁体要素を含む、請求項１２に記載のオキシメータシステム。
【請求項１４】
前記オキシメータアダプタは、前記プローブからの光検出器出力と前記オキシメータへの光検出器入力との間に結合された変換回路をさらに含み、該変換回路は、該プローブのＬＥＤの波長と前記オキシメータで期待される波長との差を明かにするために検出信号を変更する、請求項１０に記載のオキシメータシステム。
【発明の詳細な説明】
【０００１】
（発明の背景）
本発明は、一般的に、光学的オキシメータに関し、特に詳細には、光学的オキシメータのプローブ、すなわち、関連するオキシメータモニタに用いられるように設計／構成されたプローブを、異なるプローブ構成を利用する、異なるオキシメータモニタ上で用いられることを可能にするアダプタに関する。
健康な人の新陳代謝における酸素の重要性のため、患者の血液中の酸素含有量を計測できることは重要である。外科手術中および手術後の患者の動脈のヘモグロビンの酸素飽和度のモニタリングが特に重大である。
非浸襲性のオキシメータは開発されており、これは、光を患者の皮膚を通して、動脈の血液を含む、指などの領域に導く。この光は通常、２つ以上の主要な波長の光を含む。このようなオキシメータの例は、Ｓｗｅｄｌｏｗ等により発行された、発明名称が「Ａｄｈｅｓｉｖｅ　Ｐｕｌｓｅ　Ｏｘｉｍｅｔｅｒ　Ｓｅｎｓｏｒ　Ｗｉｔｈ　Ｒｅｕｓａｂｌｅ　Ｐｏｒｔｉｏｎ」である米国特許第５，２０９，２３０号、およびＮｅｗ，Ｊｒ．等により発行された、発明名称が「Ｃａｌｉｂｒａｔｅｄ　Ｏｐｔｉｃａｌ　Ｏｘｉｍｅｔｅｒ　Ｐｒｏｂｅ」である米国特許第４，７００，７０８号に開示され、これらの開示は、本発明の譲受人に譲渡され、本明細書の中で参考として援用される。Ｎｅｗ，Ｊｒ．等による特許のオキシメータは、ある抵抗値を有する抵抗器を含有するプローブを含んでおり、この抵抗値は、このプローブに付随するモニタによって計測され得る。この抵抗の計測値は、発光ダイオード（ＬＥＤ）から患者の表皮を通して導かれた光の波長を表している。このモニタは、患者の動脈血液酸素含有量を計算するために、この情報およびこの波長で検出された光の計測強度を用いる。ＬＥＤが重複しない時間間隔で駆動されるので、これら２つの波長のそれぞれの光の吸収量が個別に計測される。
時々、オキシメータセンサは、ある製造会社で作られ、そしてモニタは別の製造会社で作られ得る。従って、そのセンサとオキシメータがコンパチブルでない場合、アダプタが必要となり得る。さらに、センサそのものは、異なったオキシメータでもって使われ得るように構成され得る。例えば、Ｇｏｌｄｂｅｒｇｅｒ等により発行された、発明名称が「Ｕｎｉｖｅｒｓａｌ　Ｐｕｌｓｅ　Ｏｘｉｍｅｔｅｒ　Ｐｒｏｂｅ」である米国特許第５，２４９，５７６号では、センサのリードが別の構成において接続されることを可能にする。アダプタの例は、譲受人がＮｅｌｌｃｏｒ　Ｐｕｒｉｔａｎ　Ｂｅｎｎｅｔｔ，Ｉｎｃ．である米国特許第５，８０７，２４７号、およびまたＮｅｌｌｃｏｒ　Ｐｕｒｉｔａｎ　Ｂｅｎｎｅｔｔ，Ｉｎｃ．に譲渡された米国特許第５，８１８，９８５号の中で説明される。さらに別のアダプタが、Ｎｅｌｌｃｏｒ　Ｐｕｒｉｔａｎ　Ｂｅｎｎｅｔｔ，Ｉｎｃ．にさらに譲渡された、Ａｄｎａｎ　Ｍｅｒｃｈａｎｔ等による、発明名称が「Ａｃｔｉｖｅ　Ｏｐｔｉｃａｌ　Ｏｘｉｍｅｔｅｒ　Ｐｒｏｂｅ　Ａｄａｐｔｅｒ」の米国特許第６，０２３，５４１号の中で説明される。
Ｍａｓｉｍｏ　Ｃｏｒｐｏｒａｔｉｏｎの特許第５，７５８，６４４号で説明されているオキシメータセンサの１つのタイプでは、符号化（ｃｏｄｉｎｇ）抵抗器に接続される、センサ上の分離したリードが省かれている。代りに、この符号化抵抗器はセンサの発光ダイオード（ＬＥＤ）に並列に接続されている。この符号化抵抗器は、ＬＥＤが動作しない低い電圧を印加することによって読み出され得る。例えば、電圧０．５ボルトがこれを達成する。このようにして、構成モードにおいて、低電圧は、ＬＥＤリードに伝達され、そして抵抗値が読み出され得る。続いて、より高い電圧が、動作構成においてＬＥＤを駆動するために用いられ得る。明らかに、個別のＬＥＤリードを有するオキシメータセンサは、このような装置とはコンパチブルではない。
（発明の要旨）
本発明は、ＬＥＤに並列にある抵抗を有しないセンサが、この並列抵抗器を期待させるオキシメータを動作させ得るオキシメータセンサアダプタを提供する。アダプタは、ＬＥＤ駆動エレクトロニクスおよび適切なオキシメータ駆動電流検知回路を含み、これらは、オキシメータからの駆動信号を、センサのための適切な駆動信号に変換する。１個以上のＬＥＤに並列の、センサにある抵抗器の代りに、この抵抗器は、アダプタのオキシメータ側の、ＬＥＤ駆動エレクトロニクスおよびオキシメータ駆動電流検知回路の前のリードをわたって置かれる。低電圧で大きな電流を引き出せないＬＥＤ駆動エレクトロニクスおよびオキシメータ駆動電流検知回路を提供することで、オキシメータは、丁度それがＬＥＤに並列にあるが如く、独立に抵抗器を測定できる。
このようにして、本発明は本質的に、オキシメータをだまして、実際はＬＥＤに並列接続された抵抗器が存在しない場合なのに、それが存在することに考えさす。ある実施形態では、アダプタは、センサの光検出器とオキシメータへの光検出器入力リード間にシグナルコンディショニングエレクトロニクス（ｓｉｇｎａｌ　ｃｏｎｄｉｔｉｏｎｉｎｇ　ｅｌｅｃｔｒｏｎｉｃｓ）をさらに含み得る。このことは、オキシメータに期待されるようにＬＥＤ波長に対応し得ない符号化抵抗器の値などの多数のファクタを調整することを可能にさせる。
本発明の本質および長所のさらなる理解のために、添付の図面と連携して次の説明を参考にするべきである。
【０００２】
（特定の実施形態の説明）
図１は、パルスオキシメータプローブ１０２、アダプタ１０４、およびオキシメータ１０６を有するオキシメータシステム１００を示す。オキシメータ１０６は、ＬＥＤ駆動信号をライン１０８および１１０に供給し、そしてこれらは、センサ１０２のＬＥＤ１１２および１１４への入力ラインに接続されるよう考えられている。センサからの光検出器１１６は、最終的にオキシメータ１０６の光検出器入力ライン１１８および１２０に供給される光検出器信号を供給する。
【０００３】
アダプタ１０４は、ＬＥＤ駆動エレクトロニクス１２２を含み、そしてこれは、オキシメータ駆動電流検知回路１２４によって制御され得る。この回路は、この駆動信号がオキシメータ１０６によって出力されたレベルから特定のプローブ１０２のための所望レベルに、変換されることを可能にする。さらに、ある実施形態では、オキシメータからの第３番目の線を含んだ３レベル駆動信号が、プローブ１０２への２線の駆動信号に変換され得るかまたは、その逆である。
【０００４】
抵抗器１２６は、駆動ライン１０８と１１０間に置かれる。この抵抗器は、オキシメータによって期待される抵抗値をＬＥＤに並列の、センサの中にあるものとして見せる。この抵抗器は、例えば、通常ＬＥＤを駆動しない低電圧を印加することで、読み出され得る。オキシメータ駆動電流検知回路１２４およびＬＥＤ駆動エレクトロニクス１２２がこの低電圧では大きな電流を取り出せない間に限って、この抵抗器１２６は、この値を読み出し得る。
【０００５】
さらに、アダプタは、ある実施形態では、シグナルコンディショニングエレクトロニクス１２８を提供する。このことは、光検出器の信号を適切なものに改変し得る。例えば、シグナルコンディショニングエレクトロニクスは、光検出器の信号を改変させて、オキシメータ１０６によって期待されるように抵抗器１２６を整合させていない波長を有するＬＥＤのために補償させ得る。このことは、シグナルコンディショニングエレクトロニクス１２８による光検出器の信号の適切な改変によって、ＬＥＤの期待される波長からの変動に併せて、補償され得る。
【０００６】
図２は、本発明に従うアダプタまたは変換器２００のある実施形態の分解組立図である。アダプタは、ケーブル２１０によってセンサまたはプローブに接続される。もうひとつのケーブル２１４はオキシメータモニタに装着する。分離したパワーケーブル２１８は、アダプタ２００のエレクトロニクスにパワーを供給する。
【０００７】
関連ラベル２２４を伴う上面ハウジングシェル２２０および下面ハウジングシェル２２２が示される。ケーブルは、アダプタの電子構成要素を保持している内部のマザーボード２２６に接続する。ドータボード２２８は、下記でさらに詳細に説明されるように、オキシメータが期待するものと異なったＬＥＤ波長を考慮するために、検出器の信号を変換する回路を保有する。これは、時々、変化率変化（ｒａｔｉｏ　ｏｆ　ｒａｔｉｏｓ）の変換またはＲＡＴ／ＲＡＴ変換として引き合いに出される。
【０００８】
図３は、アダプタ２００に含まれるオキシメータ、プローブ、および電子回路のブロック図である。オキシメータ１０６は、ＶＯ１、ＶＯ２、およびＣＯＭのラインから成る電気的ケーブル２１４を伴って示される。パワーケーブル２１８は図３の下底に示される。ケーブル２１０を構成するラインと一緒に、プローブ１０２がさらに示される。
【０００９】
図３は、このモニタが３線ＬＥＤ駆動ライン、ＶＯ１，ＶＯ２およびＣＯＭに出力する実施形態を示す。これらの駆動ラインは、２個のＬＥＤが並列ではなく、むしろ第３線または中間の共通ライン（ＣＯＭ）と背中合わせ線に実装されるセンサ構成用である。図３の特定の実施形態は、この３線駆動ラインから１つの２線センサへの変換を示す。しかし、本発明は、モニタが図４に示されるように、２ラインセンサ用の２ラインのみを駆動するかまたは、さらに、２駆動ラインモニタでかつ３駆動ラインセンサようなケースに応用され得る。
【００１０】
図３で見られ得るように、図１の抵抗器１２６は、点線で示されるように、共通ライン２７６と駆動ラインＶＯ１およびＶＯ２のいずれか１つとの間に接続される。次の記述は、回路の残りを説明し、これはまた、本明細書の中で参考として援用される、特許第６，０２３，５４１号においても記述されている。
【００１１】
ＣＯＭＭＯＮ、ＶＯ１およびＶＯ２をマークされた３線のＬＥＤ駆動ラインは、オキシメータ１０６から出力していることが示されている。これらは第１および第２のＬＥＤ２３４と２３６に接続する。これらは、実際のプローブの中にモニタ１０６によって見られることを期待される方法で、接続される。しかしながら、その代わりに、ＬＥＤは、光学的絶縁体要素である、要素２３８および２４０の各部品である。ＬＥＤ２３４および２３６を通しての光学的に検知される信号は、結果としてＬＥＤ駆動回路１２２に供給される。回路１２２は、必要な変換を与えそしてプローブ１０２の一対のＬＥＤ１１２および１１４を駆動し、これらのＬＥＤは、２線で逆並列の配列で接続される。従って、ＬＥＤ駆動回路１２２はこの信号を、ＬＥＤ２３４および２３６の３線構成からＬＥＤの１１２および１１４の２線で逆並列の構成に変換する。
【００１２】
図４（２線駆動ラインＬＥＤの実施形態を図示する）の実施形態で見られ得るように、図１の抵抗器１２６は、２線駆動ラインＶＯ１とＶＯ２との間に接続される。次の記述が回路の残りを説明している。
【００１３】
マークされたＶＯ１およびＶＯ２の２線のＬＥＤ駆動ラインは、オキシメータ１０６から出力することが示される。これらは第１および第２のＬＥＤ２３４と２３６に接続する。これらは、実際のプローブの中にオキシメータ１０６によって見られることを期待される方法で、接続される。しかしながら、その代わりに、ＬＥＤは、光学的絶縁体要素である、要素２３８および２４０の各部品である。ＬＥＤ２３４および２３６を通しての光学的に検知される信号は、結果としてＬＥＤ駆動回路１２２に供給される。回路１２２は、必要な変換を与えそしてプローブ１０２の一対のＬＥＤ１１２および１１４を駆動し、これらのＬＥＤも、２線で逆並列の配列で接続される。従って、ＬＥＤ駆動回路１２２はこの信号を抵抗器２６２などの分離した符号化要素でもって、ＬＥＤ２３４および２３６のモニタの２線構成（抵抗器１２６と並列）からＬＥＤの２４４および２４６のプローブの２線で逆並列（ａｎｔｉ−ｐａｒａｌｌｅｌ）の構成に変換する。
【００１４】
図３および図４の両方において、プローブ１０２の光検出器１１６からの信号のために、変換が行われる。この信号は増幅器２５０に供給され、そして次いで、ＲＡＴ／ＲＡＴ変換回路２５２に供給される。変換回路の出力は、光学的絶縁体２５６の別のＬＥＤ２５４を通して供給され、これは、次いで、オキシメータ１０６に供給される。見られ得るように、アダプタの回路は、オキシメータ１０６と電気的に絶縁され、そしてパワー供給源２５８から別個にパワーが与えられる。電気的絶縁は、患者にグランドからの絶縁を与える。
【００１５】
プローブ１０２の実際のＬＥＤ１１２および１１４がオキシメータ１０６で期待されるものと異なる波長を有し得るため、ＲＡＴ／ＲＡＴ変換回路２５２が用いられる。これは、オキシメータ１０６による酸素飽和度の正しくない計算を生む結果となる。これを補償するために、検出された信号の実際の値が従って変更され、従って、実際のＬＥＤのためにあるべき、異なった係数が用いられるという事実の補償を行う。これは、Ｎｅｌｌｃｏｒ　Ｐｕｒｉｔａｎ　Ｂｅｎｎｅｔｔ，Ｉｎｃ．に譲渡された、特許第５，８０７，２４７号でさらに詳細に記述されているように、変換回路２５２によってなされる。
【００１６】
図５は、図３の実施形態の別局面を示す別のブロック図である。多数の光学的絶縁体が絶縁インタフェース２６０として一般的に示される。さらに、較正抵抗器２６２はプローブ１０２に示される。デコーダ回路２６４はＲＡＴ／ＲＡＴ回路の適切なゲインを選択するために供給される。
【００１７】
図６−９は、図３および４の実施形態をさらに詳細に示す回路ブロックである。図６、７および８は、図２のマザーボード２２６上にある構成要素を示し、一方、図９は、ドータボード２２８上の構成要素を示す。図６は、ＲＡＴ／ＲＡＴ変換回路２５２の構成要素を示し、そしてこれは、図９に示されるように、ドータボード上の回路に続く。図６はまた、パワー供給源２５８の回路を示す。図６はまた、プローブ１０２の検出器１１６を、アダプタ２００の増幅器回路２５０と共に示す。
【００１８】
図７および８は、ＬＥＤ駆動回路１２２の回路詳細を示し、そしてＬＥＤ駆動のための光学的絶縁体２３８、２４０および検出器のための光学的絶縁体２５６をまた示す。図７は３線の実施形態を示し、そして図８は２線の実施形態を示す。
【００１９】
図７の３線の実施形態では、抵抗器１２６はコモンライン２７６とＬＥＤ駆動ラインＶＯ１およびＶＯ２の一方または他方との間に示される。見られ得るように、これらのラインに接続される回路は、約０．５ボルトの電圧レベルで、何ら大きな電流を流さない。このことは、コモン（ＣＯＭ）ライン２７６と抵抗器１２６が接続されるラインＶＯ１およびＶＯ２いずれかとの間に０．５ボルトの信号を印加することによって抵抗器１２６の値が読み出されることを可能にする。
【００２０】
図８の２線の実施形態では、抵抗器１２６はＬＥＤ駆動ラインＶＯ１およびＶＯ２との間に示される。見られ得るように、これらのラインに接続される回路は、約０．５ボルトの電圧レベルで、何ら大きな電流を流さない。このことは、ラインＶＯ１とＶＯ２との間に０．５ボルトの信号を印加することによって抵抗器１２６の値が読み出されることを可能にする。
【００２１】
図７および８の両方において、追加の光学的絶縁体２６６および２６８が、回路２７０からトランジスタ２７２に供給された接断信号に応答して、回路を無効にするように設けられ、そしてこの信号は光学的絶縁体を駆動する。光学的絶縁体２６６は、抵抗器１２６および駆動ＬＥＤための光学的絶縁体２４０および２３８と直列になっており、一方、光学的絶縁体２６８は、検出器出力の光学的絶縁体２５６と直列になっている。
【００２２】
ＬＥＤ駆動回路１２２はノード２７６に直列につながる小さな抵抗器２７４からの入力を受ける。印加された信号の振幅は、増幅器２７８を介して検出される。ＬＥＤを駆動する電流レベルを決定するために振幅を検出することは重要である。なぜなら、モニタは、強度を適切なレベルに設定するためにフィードバックループを用いるからである。この増幅された信号は追加された光学的絶縁体２８２からＬＥＤ駆動回路１２２に供給される。ここから、この信号は、別の増幅器２８４に印加され、そしてこれは、電圧分割器２８６を通して、ある電圧レベルを電流駆動回路２８８に供給する。
【００２３】
駆動回路２８８からの電流は、赤外線（ＩＲ）ＬＥＤ駆動ライン２９０かまたは、赤色（ＲＥＤ）ＬＥＤ駆動ライン２９２のいずれかに供給される。これらのうちのいずれかが駆動されるかは、ＩＲ同期ライン２９４およびＲＥＤ同期ライン２９６にのる光学的絶縁体２３８および２４０からの各信号によって個々に制御される。光学的絶縁体２３８がライン２９４をアクティブロウ（ａｃｔｉｖｅ　ｌｏｗ）に引っ張った場合、これはトランジスタ３０２をオンにし、かつトランジスタ２９８をオフにする（トランジスタ３００をオンにする）。ライン２９６がイナアクティブハイ（ｉｎａｃｔｉｖｅ　ｈｉｇｈ）のため、これはトランジスタ３０８をオフにしかつトランジスタ３０４をオンにする（これによりトランジスタ３０６をオフにする）。電流は、赤外線ＬＥＤを通ってライン２９０からライン２９２に流れる。光学的絶縁要素２４０がライン２９６をアクティブロウ（ａｃｔｉｖｅ　ｌｏｗ）に引っ張った場合、これはトランジスタ３０８をオンにし、かつトランジスタ３０４をオフにする（これによりトランジスタ３０６をオンにする）。ライン２９４がイナアクティブハイ（ｉｎａｃｔｉｖｅ　ｈｉｇｈ）のため、これはトランジスタ３０２をオフにし、かつトランジスタ２９８をオンにする（これによりトランジスタ３００をオフにする）。電流は、赤色ＬＥＤを通ってライン２９２からライン２９０に流れる。この電流は、患者／プローブインタフェースの温度を制限するために、好ましく最大５０ｍＡに制限され、そして患者が火傷するおそれを避ける。この制限は、電流源のゲインの大きさを設定することによってなされる。
【００２４】
本発明は、これらに関してある好ましい実施形態を参照して記述されたが、これによって限定されることではない。例えば、光学的絶縁体に加えて、追加の直列または並列の構成要素が、期待されるＬＥＤの順方向電圧特性とかなり綿密に整合させるように用いられ得る。ここで記述されたフォトトランジスタおよびトランジスタよりも他の多数のエレクトニクス要素が電子スイッチングを達成するように用いられ得る。例えば、アノードおよびカソードよりむしろ、発光駆動端子および発光出力端子として考えられる広範囲の端子を伴ったＬＥＤ以外の発光要素が用いられ得る。さらに、これらの方向性の一つに丁度特化されたものよりもむしろ、アダプタの２線の部分が、２線のオキシメータまたは２線のプローブのいずれかに接続可能になるように、アダプタを設計し得る。同じように、アダプタの３線の部分が３線のモニタまたは３線のプローブのいずれかのに接続され得る。
【００２５】
さらに、抵抗器１２６の代わりに、別の要素が、情報を伝達するかまたは、センサを利用できるようにオキシメータを開放するために用いられ得る。例えば、デジタルデータを供給する半導体チップが、簡単な抵抗器が供給し得るよりも、より複雑な符号化情報を提供するように用いられ得る。オキシメータのある実施形態は、存在するそのようなデジタルチップを期待し得る。そのようなチップは、例えば、Ｄａｌｌａｓ　Ｓｅｍｉｃｏｎｄｕｃｔｏｒからの利用可能な２線のメモリチップであり得る。そのような等価なすべてが、本発明によって達成され、本発明は上掲の特許請求の範囲によって限定されるだけである。
【図面の簡単な説明】
【図１】
図１は、本発明に従ったアダプタを含むオキシメータシステムのブロック図である。
【図２】
図２は、本発明に従ったアダプタのハウジングの実施形態の分解組立図である。
【図３】
図３は、本発明の３線の実施形態に従ったアダプタのブロック図である。
【図４】
図４は、本発明の２線の実施形態に従ったアダプタのブロック図である。
【図５】
図５は、図３の要素のいくつかを示すブロック図である。
【図６】
図６は、２線および３線の実施形態に対する図５の回路の１実施形態を示す回路ブロック図である。
【図６Ａ】
図６Ａは、２線および３線の実施形態に対する図５の回路の１実施形態を示す回路ブロック図である。
【図６Ｂ】
図６Ｂは、２線および３線の実施形態に対する図５の回路の１実施形態を示す回路ブロック図である。
【図７】
図７は、３線の実施形態に対する図５の回路の１実施形態を示す回路ブロック図である。
【図７Ａ】
図７Ａは、３線の実施形態に対する図５の回路の１実施形態を示す回路ブロック図である。
【図７Ｂ】
図７Ｂは、３線の実施形態に対する図５の回路の１実施形態を示す回路ブロック図である。
【図８】
図８は、２線の実施形態に対する図５の回路の１実施形態を示す回路ブロック図である。
【図８Ａ】
図８Ａは、２線の実施形態に対する図５の回路の１実施形態を示す回路ブロック図である。
【図８Ｂ】
図８Ｂは、２線の実施形態に対する図５の回路の１実施形態を示す回路ブロック図である。
【図９】
図９は、２線および３線の実施形態に対する図５の回路の１実施形態を示す回路ブロック図である。
【図９Ａ】
図９Ａは、２線および３線の実施形態に対する図５の回路の１実施形態を示す回路ブロック図である。
【図９Ｂ】
図９Ｂは、２線および３線の実施形態に対する図５の回路の１実施形態を示す回路ブロック図である。
【図１】
2004508872.tif 000003
【図２】
2004508872.tif 000004
【図３】
2004508872.tif 000005
【図４】
2004508872.tif 000006
【図５】
2004508872.tif 000007
【図６】
2004508872.tif 000008
【図７】
2004508872.tif 000009
【図７Ａ】
2004508872.tif 000010
【図８】
2004508872.tif 000011
【図８Ａ】
2004508872.tif 000012
【図９】
2004508872.tif 000013
【国際公開パンフレット】
2004508872.tif 000014
2004508872.tif 000015
2004508872.tif 000016
2004508872.tif 000017
2004508872.tif 000018
2004508872.tif 000019
2004508872.tif 000020
2004508872.tif 000021
2004508872.tif 000022
2004508872.tif 000023
2004508872.tif 000024
2004508872.tif 000025
2004508872.tif 000026
2004508872.tif 000027
2004508872.tif 000028
2004508872.tif 000029
2004508872.tif 000030
2004508872.tif 000031
2004508872.tif 000032
2004508872.tif 000033
2004508872.tif 000034
2004508872.tif 000035
2004508872.tif 000036
2004508872.tif 000037
【国際公開パンフレット（コレクトバージョン）】
2004508872.tif 000038
2004508872.tif 000039
【国際調査報告】
2004508872.tif 000040
2004508872.tif 000041